(57)【特許請求の範囲】
【請求項１】
中継システムにおけるダウンリンクチャネル測定指示方法であって、
サービングノードが、ユーザ機器の干渉源に関する情報を受信するステップと、
前記サービングノードが、前記ユーザ機器の干渉源に関する情報とダウンリンクサブフレーム構成情報とに基づいて前記ユーザ機器の可能な干渉源の組み合わせを形成し、前記可能な干渉群の組み合わせから干渉を受けるサブフレーム群を特定し、特定したサブフレーム群が前記ユーザ機器の測定対象とすべきサブフレーム群であることを示すダウンリンクチャネル測定指示を生成するステップと、
前記サービングノードが、対応するダウンリンクチャネル測定を実行するよう前記ユーザ機器に指示するために、前記ユーザ機器へ前記ダウンリンクチャネル測定指示を送信するステップと
を含むことを特徴とするダウンリンクチャネル測定指示方法。
【請求項２】
前記サービングノードが、隣接セルの前記ダウンリンクサブフレーム構成情報を受信するステップをさらに含むことを特徴とする請求項１に記載のダウンリンクチャネル測定指示方法。
【請求項３】
前記ダウンリンクサブフレーム構成情報はビットマップで表され、前記ダウンリンクチャネル測定指示は、前記サービングノードが、前記ユーザ機器のタイプと前記干渉源に関する情報に基づく干渉源の特性とに基づいて、対応する前記ダウンリンクサブフレーム構成情報を表すビットマップに対して論理演算を実行することによって生成されることを特徴とする請求項１又は２に記載のダウンリンクチャネル測定指示方法。
【請求項４】
前記ダウンリンクサブフレーム構成情報は、バックホールサブフレーム構成に関する情報と、ＡＢＳ（Ａｌｍｏｓｔ  Ｂｌａｎｋ  Ｓｕｂｆｒａｍｅ）構成に関する情報とを備えることを特徴とする請求項１から３のいずれか１項に記載のダウンリンクチャネル測定指示方法。
【請求項５】
前記干渉源は、前記ユーザ機器の支配的な干渉源であることを特徴とする請求項１から４のいずれか１項に記載のダウンリンクチャネル測定指示方法。
【請求項６】
前記サービングノードが、前記ユーザ機器によって報告されたサブフレーム群のチャネル品質に基づいて、各サブフレームのスケジューリングを実行するステップをさらに含むことを特徴とする請求項１から５のいずれか１項に記載のダウンリンクチャネル測定指示方法。
【請求項７】
中継システムにおけるダウンリンクチャネル測定指示装置であって、
ユーザ機器の干渉源に関する情報を受信するための干渉源情報受信手段と、
前記ユーザ機器の干渉源に関する情報とダウンリンクサブフレーム構成情報とに基づいて前記ユーザ機器の可能な干渉源の組み合わせを形成し、前記可能な干渉源の組み合わせから干渉を受けるサブフレーム群を特定し、特定したサブフレーム群が前記ユーザ機器の測定対象とすべきサブフレーム群であることを示すダウンリンクチャネル測定指示を生成する測定指示生成手段と、
対応するダウンリンクチャネル測定を実行するよう前記ユーザ機器に指示するために、前記ユーザ機器へ前記ダウンリンクチャネル測定指示を送信する測定指示送信手段と
を備えることを特徴とするダウンリンクチャネル測定指示装置。
【請求項８】
中継システムにおいてダウンリンクチャネル測定を実行するための方法であって、
ユーザ機器が、前記ユーザ機器の干渉源に関する情報をそのサービングノードへ報告するステップと、
前記ユーザ機器が、前記ユーザ機器の可能な干渉源の組み合わせから特定されたサブフレーム群が前記ユーザ機器の測定対象とすべきサブフレーム群であることを示すダウンリングチャネル測定指示をサービングノードから受信するステップと、
前記ユーザ機器が、前記ダウンリンクチャネル測定指示に基づいて当該サブフレーム群のダウンリンクチャネル測定を実行するステップと
を含むことを特徴とする方法。
【請求項９】
中継システムにおけるダウンリンクチャネル測定実行装置であって、
ユーザ機器の干渉源に関する情報をそのサービングノードへ報告するための干渉源情報報告手段と、
前記ユーザ機器の可能な干渉源の組み合わせから特定されたサブフレーム群が前記ユーザ機器の測定対象とすべきサブフレーム群であることを示すダウンリンクチャネル測定指示を前記サービングノードから受信するための測定指示受信手段と、
前記ダウンリンクチャネル測定指示に基づいて当該サブフレーム群のダウンリンクチャネル測定を実行するためのチャネル測定手段と
を備えることを特徴とするダウンリンクチャネル測定実行装置。
【発明の詳細な説明】
【技術分野】
【０００１】
本発明は、モバイル通信技術の分野に関し、特に、中継システムにおけるダウンリンクチャネル測定指示方法および装置と、中継システムにおけるダウンリンクチャネル測定実行方法および装置に関する。
【背景技術】
【０００２】
３ＧＰＰロングタームエボリューションアドバンスト（３ＧＰＰ  ＬＴＥ−Ａ）技術では、中継技術が採用されている。「中継」とは、中継ノードで受信信号を処理して転送することにより、無線カバレッジを拡大してデータスループットを高める技術である。中継技術は、高データレートのカバレッジ、グループモビリティ、一時ネットワーク展開、セルエッジスループットを改善すると共に、新たなエリアでのカバレッジを提供するために使用することができる。中継技術においては、中継ノード（ＲＮ）は、基地局（ｅＮＢ）からユーザ機器（ＵＥ）への比較的低品質の１つの直接リンクを、比較的高品質の２つのリンク（すなわち、「アクセスリンク」と「バックホールリンク」）に分割する。ここで、「アクセスリンク」とはＲＮおよびＵＥ間のリンクを意味し、「バックホールリンク」はｅＮＢおよびＲＮ間のリンクを意味する。
【０００３】
中継ノードは、ドナーセル（すなわち、中継をサポートするセル）を介して、無線アクセスネットワークへ無線接続される。中継ノードのスペクトル利用については、中継ノードの動作は以下の２つに分けられる。
−帯域内。ｅＮＢ−ＲＮリンクはＲＮ−ＵＥリンクと同じ搬送波周波数を共有する。この場合、Ｒｅｌ−８  ＵＥはドナーセルに接続することができる。
−帯域外。ｅＮＢ−ＲＮリンクはＲＮ−ＵＥリンクと同じ搬送波周波数で動作しない。この場合、Ｒｅｌ−８  ＵＥはドナーセルに接続することができる。
【０００４】
周知のとおり、３ＧＰＰ  ＴＲ３６．８１４  Ｖ９．０．０で定義される「タイプ１」中継ノードは帯域内中継ノードであり、以下の特徴を有する。
−セルを制御する。各セルは、ドナーセルとは異なる別個のセルとしてＵＥに認識される。
−セルは固有の物理セルＩＤ（ＬＴＥ  Ｒｅｌ−８内で定義される）を持ち、中継ノードは自ノードの同期チャネル、参照シンボル等を送信する。
−単一セル運用の状況においては、ＵＥはスケジューリング情報とＨＡＲＱフィードバックを中継ノードから直接受信し、その制御チャネル（ＳＲ／ＣＱＩ／ＡＣＫ）を中継ノードに送信する。
−Ｒｅｌ−８  ＵＥには、Ｒｅｌ−８  ｅＮＢとして認識される（すなわち、後方互換性）。
−中継ノードは、ＬＴＥ−Ａｄｖａｎｃｅｄ  ＵＥには、Ｒｅｌ−８  ｅＮＢとは異なるものとして認識されることが可能なので、さらなるパフォーマンス強化が可能である。
【０００５】
上記の「タイプ１」中継ノードは帯域内中継ノードであり、バックホールリンクとアクセスリンクは同じ周波数帯域を使用するため、中継送信機は自ノードの受信機に干渉を発生させる。そのため、例えば十分に分離され、かつ十分に絶縁された特定のアンテナ構造等の使用により、送出信号と入力信号とを適切に絶縁しない限り、バックホールリンク送信とアクセスリンク送信を同じ周波数資源上で同時に実行するのは不可能である。
【先行技術文献】
【特許文献】
【０００６】
【特許文献１】米国特許出願ＵＳ２０１０／００８０１３９Ａ１
【発明の概要】
【発明が解決しようとする課題】
【０００７】
上記の干渉問題に対処可能な１つの解決法は、ＲＮがドナーｅＮＢ（ＤｅＮＢ、すなわち中継をサポートするｅＮＢ）からのデータ受信が予定される間には、ＲＮがデータをユーザ機器に送信しないように中継器を運用することである。つまりこれは、アクセスリンク送信に「ギャップ」を発生させる方法である。ＲＮは、このギャップの間にはＵＥへ情報を送信しない。ギャップは、例えば、図１に示すようにＭＢＳＦＮサブフレームを構成することにより発生される。図１に示すように、ＲＮ−ＵＥ送信は共通のサブフレーム（左側）を使用し、ｅＮＢ−ＲＮ送信はＭＢＳＦＮサブフレーム（右側）を使用する。ｅＮＢとＲＮ間の送信は、いくつかのサブフレームの間にＲＮおよびＵＥ間の送信を許可しないことによって実行可能になる。
【０００８】
そのため、ダウンリンク無線フレーム内のいくつかのサブフレームがＤｅＮＢからＲＮへの送信のためのバックホールサブフレームとして構成され、他のサブフレームはＲＮからＵＥへの送信のためのアクセスサブフレームとなる。マクロセルのバックホールサブフレーム構成は互いに異なることが多いが、こうしたマクロセル毎にバックホールサブフレーム構成が異なる環境では、測定されたチャネル品質が実際の干渉状態と一致するように、干渉推定とチャネル測定を慎重に設計する必要がある。
【０００９】
２００９年９月２８日に出願された特許文献１(米国特許出願ＵＳ２０１０／００８０１３９Ａ１)においては、無線通信システムにおいて中継動作をサポートする技法が開示されている。この特許出願で開示された技術的解決法によれば、ｅＮＢは複数の無線フレームにおけるサブフレーム構成を示すビットマップを生成する。このビットマップは、無線フレーム内の各サブフレームのタイプ（ＭＢＳＦＮサブフレームと通常サブフレームの別、すなわちブランクサブフレームと通常サブフレームの別）を示す。ｅＮＢは生成されたビットマップをＵＥへ送信する。ＵＥは、ビットマップに示されるサブフレームのタイプに基づいて、通常サブフレームのチャネル推定またはチャネル測定は実行するが、ブランクサブフレームすなわちＭＢＳＦＮサブフレームのチャネル推定またはチャネル測定は省略する。
【００１０】
図２は、ＬＴＥ−Ａ標準化コミュニティにおいて共通して使用される干渉モデルの概略図である。この図では、ダウンリンクアクセスサブフレームおよびバックホールサブフレーム中の希望信号はそれぞれ実線と長い点線で示され、アクセスサブフレームおよびバックホールサブフレーム中の干渉信号はそれぞれ短い点線と一点鎖線で示されている。長い点線で示されるバックホールサブフレーム中には、ｅＮＢは、ＲＮ用のデータをスケジューリングすることに加えて、マクロＵＥ（ＭＵＥ）用のデータもスケジューリングする。バックホールサブフレームに発生する干渉は主にｅＮＢに起因する。一方、実線で示されるアクセスサブフレーム中には、ＲＮは中継ユーザ機器（ＲＵＥ）用のデータを送信し、ｅＮＢもまた個々のＭＵＥ用のデータを送信する。この場合、アクセスサブフレームに発生する干渉はＲＮとｅＮＢに起因する。
【００１１】
図２に示すように、干渉は隣接セルによりもたらされる。しかし、実際の用途においては、個々の隣接セルのバックホールサブフレーム構成は、各セルのトラフィック状態等の様々な要因によって異なる可能性がある。その場合には、測定が実際の干渉状態と一致しないので、上記の米国特許で提案される技術的解決法ではうまく対処することができない。従って、当該技術においては、この状態に適した技術的解決法が必要とされている。
【００１２】
前述を鑑みて、本発明は、実際のチャネル状態に一致するチャネル品質を取得できる可能性を提供する、ダウンリンクチャネル測定を示すための解決法とダウンリンクチャネル測定を実行するための解決法を開示する。
【課題を解決するための手段】
【００１３】
本発明の１つの態様によれば、中継システムにおけるダウンリンクチャネル測定指示方法が提供される。当該方法は、ユーザ機器の干渉源に関する情報を受信するステップと、ダウンリンクサブフレーム構成情報に基づいて、ユーザ機器の測定対象とすべきサブフレーム群を指示するように構成された、可能な干渉源の組み合わせの各々に関するダウンリンクチャネル測定指示を生成するステップと、対応するダウンリンクチャネル測定を実行するようユーザ機器に指示するために、ユーザ機器へダウンリンクチャネル測定指示を送信するステップとを含む。
【００１４】
本発明の１つの実施例によれば、当該方法はさらに、ユーザ機器の可能な干渉源の組み合わせを形成するステップを含む。
【００１５】
本発明の他の実施例によれば、当該方法はさらに、隣接セルのダウンリンクサブフレーム構成情報を受信するステップを含む。
【００１６】
本発明のさらに他の実施例によれば、ダウンリンクサブフレーム構成情報はビットマップで表され、チャネル測定指示は、ユーザ機器のタイプと干渉源の特性とに基づいて、対応するダウンリンクサブフレーム構成情報を表すビットマップに対して論理演算を実行することによって生成される。
【００１７】
本発明のさらに他の実施例によれば、チャネル測定指示はビットマップによって表される。
【００１８】
本発明のさらに他の実施例によれば、ダウンリンクサブフレーム構成情報は、バックホールサブフレーム構成に関する情報と、ＡＢＳ（Ａｌｍｏｓｔ  Ｂｌａｎｋ  Ｓｕｂｆｒａｍｅ（ほぼブランクのサブフレーム））構成に関する情報とを備える。
【００１９】
本発明の他の実施例によれば、干渉源はユーザ機器の支配的干渉源である。
【００２０】
本発明のさらに他の実施例によれば、当該方法はさらに、ユーザ機器によって報告されたサブフレーム群のチャネル品質に基づいて、各サブフレームのスケジューリングを実行するステップを含む。
【００２１】
本発明の第２の態様によれば、中継システムにおけるダウンリンクチャネル測定指示装置が提供される。当該装置は、ユーザ機器の干渉源に関する情報を受信するための干渉源情報受信手段と、ダウンリンクサブフレーム構成情報に基づいて、ユーザ機器の測定対象とすべきサブフレーム群を指示するように構成された、可能な干渉源の組み合わせの各々に関するダウンリンクチャネル測定指示を生成するための測定指示生成手段と、対応するダウンリンクチャネル測定を実行するようユーザ機器に指示するために、ユーザ機器へダウンリンクチャネル測定指示を送信するための測定指示送信手段とを備える。
【００２２】
本発明の第３の態様によれば、中継システムにおいてダウンリンクチャネル測定を実行するための方法が提供され、当該方法は、ユーザ機器の干渉源に関する情報をそのサービングノードへ報告するステップと、ユーザ機器の測定対象とすべきサブフレーム群を指示するように適応されたダウンリンクチャネル測定指示をサービングノードから受信するステップと、ダウンリンクチャネル測定指示に基づいて当該サブフレーム群のダウンリンクチャネル測定を実行するステップとを含む。
【００２３】
本発明の第４の態様によれば、中継システムにおけるダウンリンクチャネル測定実行装置が提供される。当該装置は、ユーザ機器の干渉源に関する情報をそのサービングノードへ報告するための干渉源情報報告手段と、ユーザ機器の測定対象とすべきサブフレーム群を指示するように適応されたダウンリンクチャネル測定指示をサービングノードから受信するための測定指示受信手段と、ダウンリンクチャネル測定指示に基づいて当該サブフレーム群のダウンリンクチャネル測定を実行するためのチャネル測定手段とを備える。
【発明の効果】
【００２４】
本発明によれば、異なるレベルの干渉に対応する可能な干渉源の組み合わせに対して、ユーザ機器の測定対象とすべき個々のサブフレーム群が決定される。すなわち、同じレベルの干渉を受けるサブフレームが１つのセットにグループ化されて、１つ以上のサブフレーム群が形成される。ビットマップで表されるこれらのサブフレーム群は、ダウンリンク測定指示としてユーザ機器へ送信される。これにより、ユーザ機器は、チャネル測定指示に基づいて、異なるレベルの干渉に対応する個々のサブフレーム群を対象にチャネル品質測定を実行することができる。そのため、本発明に基づいて判定されるチャネル品質は精度と信頼性が高く、従って実際のチャネル状態に一致する可能性が高い。さらに、本発明は、サービングノードによるスケジューリングがより高精度でより効果的となる可能性を提供する。
【図面の簡単な説明】
【００２５】
本発明の上記およびその他の特徴は、各実施例において添付図面を参照して示される、詳細な説明によってさらに明らかになるであろう。下記に示す本発明の添付図面においては、同じ参照番号は同じもしくは類似の構成要素を表す。
【００２６】
【図１】従来技術におけるダウンリンクサブフレーム構成の一例を示す概略図である。
【図２】ＬＴＥ−Ａ標準化コミュニティにおいて共通して使用される干渉モデルを示す概略図である。
【図３】本発明の一実施例によるダウンリンクチャネル測定指示方法の概略フローチャートである。
【図４Ａ】本発明によるいくつかの例示的シナリオを示す概略図である。
【図４Ｂ】本発明によるいくつかの例示的シナリオを示す概略図である。
【図４Ｃ】本発明によるいくつかの例示的シナリオを示す概略図である。
【図４Ｄ】本発明によるいくつかの例示的シナリオを示す概略図である。
【図５】本発明の一実施例によるダウンリンクチャネル測定実行方法のフローチャートを示す概略図である。
【図６】本発明の通信システムによる動作フローチャートを示す概略図である。
【図７】本発明の一実施例によるダウンリンクチャネル測定指示装置の概略ブロック図である。
【図８】本発明の一実施例によるダウンリンクチャネル測定実行装置の概略ブロック図である。
【発明を実施するための形態】
【００２７】
以下では、本発明で提供されるダウンリンクチャネル測定指示方法および装置とダウンリンクチャネル測定実行方法および装置について、添付図面を参照し、実施例を用いて詳細に説明する。なお、これらの実施例は、当業者による本発明の理解と実装を助けることのみを目的とし、本発明の範囲を限定することを意図するものではないことを理解されたい。
【００２８】
本発明においては、方法のステップを実行するための具体的な順序が示されているが、これらの方法は図示する順序を厳密に守って実行する必要はなく、方法のステップの性質によっては逆の順序で実行したり同時に実行したりすることができることに留意されたい。本明細書において、ステップ、手段、装置、物体等に使用される不定冠詞「ａ／ａｎ」は、これらの複数を除外するものではない。
【００２９】
さらに、本明細書において使用される「組み合わせ」という用語は、数学的概念の「組み合わせ」であり、ｎ個の異なる要素からｍ個（ｍ≦ｎ）の要素を選択して形成される群とみなすことができることに留意されたい。従って、「可能な組み合わせ」は、ｎ個の異なる要素からｍ個（ここで、ｍ＝１，…，およびｎ）の要素を選択して形成される群とみなすことができ、「可能な干渉源の組み合わせ」とは、ｎ個の干渉源からｍ個（ここで、ｍ＝１，…，ｎ）の干渉源を選択して形成される群を意味する。但し、干渉源の特性を鑑みて実際の用途において存在し得ない不可能な群は、形成された群から除外することができる。
【００３０】
次に、図３を参照して、本発明の一実施例によるダウンリンク測定指示方法について説明する。
【００３１】
図３に示すように、まずステップＳ３０１において、ユーザ機器から送信されてきた干渉源情報が受信される。
【００３２】
前述したように、各ＵＥは、情報を受信する際には常に、ｅＮＢ、ＲＮ等の干渉源の影響を受ける。ＵＥは、受信した干渉情報に基づいて、干渉情報のソース、すなわち各干渉源を特定することができる。この演算は、事前決定された時期に定期的に実行してもよい。
【００３３】
干渉源情報は、任意の適切なメッセージを使用して、ＵＥのサービングノード（すなわち、ｅＮＢまたはＲＮ）に報告することができる。ＵＥは、全ての干渉源（すなわち、ＵＥへの干渉レベルが比較的高い数個の干渉源）のうち支配的な干渉源である支配的干渉源のみを報告するのが望ましい。支配的干渉源数は自由に選択できるが、この数は２個であるのが望ましい。その理由は、２個という数は、ＵＥの干渉状態を十分に反映でき、かつ以降の演算における資源消費量を少なく抑えられる数であるからである。
【００３４】
次に、ステップＳ３０２において、ダウンリンクサブフレーム構成情報に基づいて、ＵＥの測定対象とすべきサブフレーム群を示すように適応された、可能な干渉源の組み合わせの各々に関するチャネル測定指示が生成される。
【００３５】
前述したように、ＵＥは隣接セルからの干渉を受けるが、ダウンリンクサブフレーム構成はセル毎に異なる可能性がある。そのため、チャネル測定が全てのダウンリンクサブフレームに対して同時に実行される場合には、実際の干渉状態との不一致が生じることになる。
【００３６】
このことから、本発明の発明者は、異なるレベルの干渉の各々に関して、ユーザ機器の測定対象とすべきサブフレーム群を特定する方法を考察した。干渉源によって干渉レベルが異なるため、異なる干渉源組み合わせは異なる干渉レベルに対応することは、理解されるであろう。本発明の実施例においては、異なるレベルの干渉を受ける個々のサブフレーム群は、ダウンリンクサブフレーム構成情報によって特定される。
【００３７】
本発明の１つの実施例によれば、ダウンリンクサブフレーム構成情報は、バックホールサブフレーム構成情報と、ＡＢＳ構成情報とから成る。具体的には、この情報は、ＵＥが属するセルか隣接セル（またはその両方）のバックホールサブフレーム構成情報とＡＢＳ構成情報とから成る。
【００３８】
ｅＮＢは、動作中に、Ｘ２インタフェースを介して接続先セルのサブフレーム構成情報を隣接ｅＮＢと交換する。ドナーｅＮＢは、ＲＲＣシグナリングまたはｅＮＢブロードキャストによって、隣接セルのダウンリンクサブフレーム構成情報をＲＮへ通知する。そのため、この場合には、当該方法はダウンリンクサブフレーム構成情報を受信するステップをさらに備える。
【００３９】
前述したように、干渉源はＵＥに干渉を引き起こすノードまたは機器である。ＵＥでは、異なるサブフレーム中に異なる干渉源による干渉が同時に発生することもある。異なる可能な干渉源の組み合わせは実際には異なるレベルの干渉に対応することは、理解されるであろう。そのため、可能な干渉源の組み合わせの各々について、これらの干渉源によってＵＥが干渉されたサブフレーム群を特定し、そのサブフレーム群を示すためのダウンリンクチャネル測定指示によって、当該サブフレーム群をＵＥに送信することができる。
【００４０】
このチャネル測定指示は、ダウンリンクサブフレーム構成情報に基づいて決定できる。本発明の１つの実施例によれば、ダウンリンクサブフレーム構成はビットマップで表され、チャネル測定指示は、ユーザ機器のタイプと干渉源の特性とに基づいて、対応するダウンリンクサブフレーム構成情報を表すビットマップに対して論理演算を実行することによって生成される。チャネル測定指示の生成に関する当業者の完全な理解を助けるため、いくつかの具体的な例示的シナリオについてさらに説明する。
【００４１】
これから説明するシナリオでの想定事項は、以下のとおりである。すなわち、８ｍｓのバックホールサブフレーム構成期間を有するＦＤＤのケースであり、ＲＮで演算が実行される場合にはＲＮは隣接セルのダウンリンクバックホールサブフレーム構成情報を取得済みであり、ＵＥは２個の支配的干渉源を有する。但し、これらの想定事項は各シナリオの説明を唯一の目的とし、本発明を限定するものとみなしてはならないことに留意されたい。
【００４２】
まず、図４Ａを参照する。このシナリオでは、ユーザ機器は、中継ノードＲＮ００を接続先とするＲＵＥであり、２個の支配的干渉源はｅＮＢ０（ＲＵＥの接続先中継ノードのドナーｅＮＢ）と、ＲＵＥと同じドナーセルに属する他の中継ノードＲＮ０１（すなわち、ＲＵＥの接続先中継ノード以外のＲＮ）である。図４Ａにおいては、８ｍｓの周期性を有するダウンリンクサブフレーム構成図がｅＮＢ０の側に示されており、１ブロックは１ミリ秒を表す。この構成図においては、「Ｂ」はダウンリンクバックホールサブフレームの位置を概略的に示し、「Ａ」はダウンリンクＡＢＳサブフレームの位置を概略的に示している。ここで、「バックホールサブフレーム」とはｅＮＢがダウンリンク上で情報をＲＮへ送信するために使用可能なサブフレームであり、「ＡＢＳサブフレーム」とはｅＮＢ０から他の機器への干渉を減少させるために必要な制御情報のみを格納するＡＢＳである。ｅＮＢ０のバックホールサブフレーム構成情報はビットマップ「ＢＭ０Ｂ」で表され、図示する例においてこれは「００１００００１」（ここで、「１」はバックホールサブフレームの位置を示す）である。同様に、ｅＮＢ０のＡＢＳサブフレーム構成情報はもう1つのビットマップ「ＢＭ０Ａ」で表され、図示する例においてこれは「０００１００００」（ここで、「１」はＡＢＳサブフレームの位置を示す）である。これらの構成は例示的に示すに過ぎないことに留意されたい。これらの構成は用途によって異なるものとなることは、当業者によって理解されるであろう。
【００４３】
ＲＵＥはデータの受信中にのみ干渉を受けるので、被干渉サブフレームはダウンリンクアクセスサブフレームのはずであり、具体的には、バックホールサブフレーム構成ＢＭ０Ｂに対してビット単位のＮＯＴ演算を実行することにより取得されたビットマップ、すなわち
【数１】
0005693744.tif 000002
（ここで、「１」はアクセスサブフレームの位置を示す）によって示されるサブフレームであることは、理解されるであろう。
【００４４】
同じセル内のバックホールサブフレーム構成は同一なので、ＲＮ００がＲＵＥへ情報を送信する際には、ＲＮ０１も同時に情報を送信する。そのため、図示したシナリオにおいては、ＲＵＥはＲＮ０１からの干渉を受けることとなり、ＲＵＥがｅＮＢ０からの干渉のみを受ける状況はあり得ないのである。さらに、ｅＮＢ０が「ＡＢＳサブフレームを送信する（ＲＵＥに干渉しない）」および「非ＡＢＳサブフレームを送信する（ＲＵＥに干渉する）」という２つの可能性があるため、ＵＥがＲＮ０１からの干渉のみを受ける（ｅＮＢ０がＡＢＳサブフレームを送信する）場合と、ＵＥがｅＮＢ０とＲＮ０１からの干渉を同時に受ける（ｅＮＢ０が非ＡＢＳサブフレームを送信する）場合の、２つのケースが生じ得る。換言すれば、「Ｃ０１：ＲＮ０１のみ」と「Ｃ０２：ＲＮ０１およびｅＮＢ０の両方」という、２つの可能な干渉源の組み合わせが存在する。
【００４５】
可能な干渉源の組み合わせＣ０１の場合、その干渉を受けるサブフレーム群は、以下に示すダウンリンクサブフレーム構成ＢＭ０ＢおよびＢＭ０Ａに基づいて特定することができる。
【数２】
0005693744.tif 000003
、すなわち、サブフレーム３のみである。
【００４６】
可能な干渉源の組み合わせＣ０２の場合、その干渉を受けるサブフレーム群は、以下に示すダウンリンクサブフレーム構成ＢＭ０ＢおよびＢＭ０Ａに基づいて特定することができる。
【数３】
0005693744.tif 000004
、すなわち、サブフレーム０、１、４、５、および６である。
【００４７】
図４Ｂは、ＲＵＥの支配的干渉源がｅＮＢ０（ＲＮ００のドナーｅＮＢ）と隣接セルのｅＮＢ１との２つである、もう１つのシナリオを示す。図４Ｂでは、ＲＵＥの支配的干渉源の１つが隣接セル内のｅＮＢ１である点が図４Ａに示すシナリオとは異なる。ｅＮＢ１の側に隣接セルのダウンリンクサブフレーム構成が示されている。図４Ｂに示すように、ダウンリンクバックホールサブフレーム構成はビットマップ「ＢＭ１Ｂ」で表され、ＡＢＳサブフレーム構成はもう１つのビットマップ「ＢＭ１Ａ」で表されている。
【００４８】
ｅＮＢ０とｅＮＢ１は、それぞれ、「ＡＢＳサブフレームを送信する」および「非ＡＢＳサブフレームを送信する」という２つの可能性があるので、「Ｃ１１：ｅＮＢ０」、「Ｃ１２：ｅＮＢ１」、「Ｃ１３：ｅＮＢ０とｅＮＢ１の両方」という３つの可能な干渉源の組み合わせが存在する。
【００４９】
図４Ａのシナリオにおいて被干渉サブフレーム群を特定した場合と同様に、Ｃ１１、Ｃ１２、Ｃ１３のそれぞれについて、以下に示すように、ダウンリンクサブフレーム構成ＢＭ０Ｂ、ＢＭ０Ａ、およびＢＭ１Ａに基づいて、干渉を受けるサブフレーム群を特定することができる。
Ｃ１１：
【数４】
0005693744.tif 000005
、すなわち、サブフレーム４である。
Ｃ１２：
【数５】
0005693744.tif 000006
、すなわちナルである。
Ｃ１３：
【数６】
0005693744.tif 000007
、すなわち、サブフレーム０、１、５、および６である。
【００５０】
図４Ｃは、２つの支配的干渉源が基地局ｅＮＢ０と隣接セル内のＲＮ１１であるさらに他のシナリオを示す。ｅＮＢ０は「ＡＢＳサブフレームを送信する」および「非ＡＢＳサブフレームを送信する」という２つの可能性を有し、ＲＮ１１は「アクセスサブフレームを送信する」および「バックホールサブフレームを受信する」という２つの可能性を有するため、「Ｃ２１：ｅＮＢ０」、「Ｃ２２：ＲＮ１１」、および「Ｃ２３：ｅＮＢ０とＲＮ１１の両方」という３つの可能な干渉源の組み合わせが存在する。
【００５１】
図４Ａおよび図４Ｂのシナリオにおいて被干渉サブフレーム群を特定した場合と同様に、Ｃ２１、Ｃ２２、Ｃ２３のそれぞれについて、以下に示すように、ダウンリンクサブフレーム構成ＢＭ０Ｂ、ＢＭ０Ａ、ＢＭ１Ｂ、およびＢＭ１Ａに基づいて、個々のサブフレーム群を特定することができる。
Ｃ２１：
【数７】
0005693744.tif 000008
、すなわち、サブフレーム１および５である。
Ｃ２２：
【数８】
0005693744.tif 000009
、すなわち、サブフレーム３のみである。
Ｃ２３：
【数９】
0005693744.tif 000010
、すなわち、サブフレーム０、４、および６である。
【００５２】
図４Ｄは、ユーザ機器がＭＵＥであるさらに他の例示的シナリオを示す。この例においては、ＭＵＥの２つの支配的干渉源は、２つの隣接セルにそれぞれ属するｅＮＢ１とｅＮＢ２である。ここで、ｅＮＢ１とｅＮＢ２の側に、２つの隣接セルのダウンリンクサブフレーム構成が示されている。図４Ａ〜図４Ｃに示すシナリオとは異なり、ＭＵＥはｅＮＢからデータを受信する時に干渉を受けるので、被干渉サブフレームは、ＢＭ０Ａに対してビット単位のＮＯＴ演算を実行することで得られるビットマップ（すなわち、
【数１０】
0005693744.tif 000011
）によって指示されるサブフレームである。
【００５３】
さらに、ｅＮＢ１とｅＮＢ２は、それぞれ、「ＡＢＳサブフレームを送信する」および「非ＡＢＳサブフレームを送信する」という２つの可能性があるので、このシナリオでは「Ｃ３１：ｅＮＢ１」、「Ｃ３２：ｅＮＢ２」、および「Ｃ３３：ｅＮＢ１とｅＮＢ２の両方」という３つの可能な干渉源の組み合わせが存在する。
【００５４】
Ｃ３１、Ｃ３２、Ｃ３３の場合、個々のサブフレーム群は、以下のように、ダウンリンクサブフレーム構成ＢＭ０Ａ、ＢＭ１Ａ、ＢＭ２Ａに基づいて特定することができる。
Ｃ３１：
【数１１】
0005693744.tif 000012
、すなわちナルである。
Ｃ３２：
【数１２】
0005693744.tif 000013
、すなわちナルである。
Ｃ３３：
【数１３】
0005693744.tif 000014
、すなわち、サブフレーム０、１、２、５、６、および７である。
【００５５】
上記のサブフレーム群の特定方法から、サブフレーム群の特定は、ユーザ機器のタイプと干渉源の特性情報とに基づいて実行できることが分かる。この特性情報とは、干渉源のタイプと干渉源の帰属情報（すなわち、帰属先セル）である。
【００５６】
当業者は、他のシナリオにおいても、ここに示す教示に基づいて様々なレベルの干渉を受けるＲＵＥおよびＭＵＥのサブフレーム群を特定できるということは確かである。そのため、ここでは簡潔さを優先して詳述を避ける。
【００５７】
上記の方法で特定された個々のサブフレーム群は、ダウンリンクチャネル測定指示としてＵＥへ送信される。ナルのサブフレーム群の送信は省略できる。このチャネル測定指示は、ビットマップ形式であるのが望ましい。但し、本発明はこの形式に限定されず、個々のサブフレーム群を指示するために他の任意の形式のチャネル測定指示を採用できることは当業者には理解されるであろう。
【００５８】
次に、再び図３を参照すると、ステップＳ３０３において、ユーザ機器に対応するダウンリンクチャネル測定を実行するよう指示するために、チャネル測定指示がユーザ機器へ送信される。
【００５９】
ここで特定されるサブフレーム群は、ＵＥに対し、１つのチャネル測定指示として送信しても、あるいは複数のチャネル測定指示として送信してもよい。このようにして、ＵＥはチャネル測定指示に基づき、個々のサブフレーム群に関して対応するダウンリンクチャネル測定を実行して、測定された各サブフレーム群のチャネル品質をそのサービングノードｅＮＢまたはＲＮへ報告することができる。ＵＥの動作に関して詳細な説明を以下に行う。よって、本発明の１つの実施例によれば、当該方法はさらに、ユーザ機器によって報告されたサブフレーム群のチャネル品質に基づいて、各サブフレームのスケジューリングを実行するステップを備える。
【００６０】
上記の説明から、可能な干渉源の組み合わせは実際には異なるレベルの干渉に対応すること、当該組み合わせに関して特定された個々のサブフレーム群は実際には異なるレベルの干渉を受ける個々のサブフレーム群であること、および同じサブフレーム群に属する全てのサブフレームは同じレベルの干渉を受けることが分かる。従って、ユーザ機器は、個々のサブフレーム群を指示するためのダウンリンクチャネル測定指示に基づいて、個々のサブフレーム群のチャネル測定を個別に実行することができる。この理由から、上記のように判定されるチャネル品質は精度と信頼性が高く、従って実際のチャネル状態に一致する可能性が高い。さらに、サービングノードは、こうして判定されたチャネル品質に基づいて、スケジューリングをより高精度で効果的に実行することが可能になる。
【００６１】
上記では、複数の具体的なシナリオを対象に、ＵＥへのダウンリンクチャネル測定指示を生成する方法について説明した。しかし、本発明はこれに限定されず、様々な異なるシナリオにも適用できる。以下では、さらに他の実施例を参照して、より包括的な解決法について説明する。
【００６２】
この説明における想定事項は、上記と同様に以下のとおりである。すなわち、８ｍｓのバックホールサブフレーム構成期間を有するＦＤＤのケースであり、ＲＮで演算が実行される場合にはＲＮは隣接セルのダウンリンクバックホールサブフレーム構成情報を取得済みであり、ＵＥは２個の支配的干渉源を有する。
【００６３】
対象となるＵＥのタイプに基づけば、ＵＥはＲＵＥ（すなわち、中継ノードをサービングノードとするＵＥ）およびＭＵＥ（すなわち、基地局ｅＮＢを直接サービングノードとするＵＥ）のいずれかであり得る。説明の煩雑化を避けるため、ＲＵＥについては、そのサービング中継ノードをＲＮ００とし、中継ノードＲＮ００のＤｅＮＢをｅＮＢ０とする。そして、ＭＵＥについては、そのサービング基地局を同じくｅＮＢ０とする。従って、支配的干渉ノード（すなわち、干渉源）はｅＮＢｉかまたはＲＮｉｊである。ここで、ｉは基地局ｅＮＢのインデックスを表し、ｊはｅＮＢｉをサービングノードとするｊ番目のＲＮを表す。また、ｉおよびｊは、例えばｉ＝０，１，２とｊ＝１，２である。ｅＮＢｉダウンリンクバックホールサブフレーム構成のビットマップはＢＭｉＢ（ここで、「１」はバックホールサブフレームの位置を表す）によって表され、ｅＮＢｉのＡＢＳサブフレーム構成はＢＭｉＡ（ここで、「１」はＡＢＳサブフレームの位置を表す）で表わされる。ここで説明のため、ＵＥに関する干渉基地局（ｅＮＢ）のセットと干渉中継ノード（ＲＮ）のセットを、それぞれΩｂおよびΩｒを使用して表す。Ωｂはシナリオによって異なり、例えば、｛｝、｛ｅＮＢ０｝、｛ｅＮＢ１｝、｛ｅＮＢ０、ｅＮＢ１｝、｛ｅＮＢ１、ｅＮＢ２｝、以下同様であり得るし、Ωｒもまたシナリオによって異なり、例えば、｛｝、｛ＲＮ０１｝、｛ＲＮ０１、ＲＮ０２｝、｛ＲＮ１１｝、｛ＲＮ０１、ＲＮ１１｝、｛ＲＮ１１、ＲＮ１２｝、｛ＲＮ１１、ＲＮ２１｝、以下同様であり得ることは理解されるであろう。
【００６４】
ＵＥが例えばＩ１およびＩ２で表される２つの支配的干渉源を有する場合には、可能な干渉源の組み合わせは、例えば前述した数学的概念の「組み合わせ」に基づいて「Ｃ１：Ｉ１」、「Ｃ２：Ｉ２」、および「Ｃ３：Ｉ１およびＩ２の両方」として特定できる。
【００６５】
前述したように、対象のサブフレームは、ＵＥへの送信用のサブフレーム、すなわち
【数１４】
0005693744.tif 000015
である。ここで、ｘはユーザ機器のタイプに応じて決まり、具体的には、対象のＵＥがＲＵＥの場合はｘ＝Ａ、対象のＵＥがＭＵＥの場合はｘ＝Ｂである。さらに、Ｉ１の干渉を受けているということは、Ｉ１がこのサブフレーム（すなわち、
【数１５】
0005693744.tif 000016
に対応するサブフレーム）でデータを送信していることを意味することは理解されるであろう。ここで、ｋは干渉源がＲＮの場合には干渉源のＤｅＮＢのインデックスであり、干渉源が基地局の場合には基地局のインデックスである。また、干渉源が基地局の場合にはｙ＝Ａ、干渉源がＲＮの場合にはｙ＝Ｂである。一方、ＢＭｋｙはＵＥが干渉Ｉ１を受けない状況を示すこともまた理解されるであろう。同様に、Ｉ２からの干渉を受けている状況は
【数１６】
0005693744.tif 000017
に対応し、Ｉ２からの干渉を受けていない状況はＢＭｍｚに対応する。ここで、ｚおよびｍの値の特定方法はｙおよびｋと同様であるので、ここでは詳述しない。
【００６６】
従って、上記の３つの可能な干渉源の組み合わせＣ１、Ｃ２、およびＣ３に関しては、３つの被干渉サブフレーム群は以下のように特定することができる。
Ｉ１の干渉のみを受けるサブフレーム群：
【数１７】
0005693744.tif 000018
Ｉ２の干渉のみを受けるサブフレーム群：
【数１８】
0005693744.tif 000019
Ｉ１およびＩ２の干渉を受けるサブフレーム群：
【数１９】
0005693744.tif 000020
ここで、前述したように、
【数２０】
0005693744.tif 000021
は・のビット単位のＮＯＴを表し、
＆はビット単位のＡＮＤを表し、
ｋは、Ｉ１∈  Ωｂ（すなわち、Ｉ１はｅＮＢ）の場合はＩ１のインデックス、Ｉ１∈  Ωｒ（すなわち、Ｉ１はＲＮ）の場合はＩ１のＤｅＮＢのインデックスであり、
ｍは、Ｉ２∈  Ωｂの場合はＩ２のインデックス、Ｉ２∈  Ωｒの場合はＩ２のＤｅＮＢのインデックスであり、
【数２１】
0005693744.tif 000022
である。
【００６７】
このように、可能な干渉源の組み合わせ（すなわち、異なるレベルの干渉）に関するサブフレーム群は、どんなシナリオであっても上記の式に基づいて特定することができる。次に、対応するダウンリンクチャネル測定を実行するようＵＥに指示するために、これらの特定されたサブフレーム群はダウンリンクチャネル測定指示としてユーザ機器ＵＥへ送信される。フィードバックのオーバーヘッドが懸念される場合には、チャネル測定指示を生成する時に２つ以上のサブフレーム群を結合してＣＳＩフィードバック群の数を削減することができる。
【００６８】
上記の包括的な実施例では、ΩｂとΩｒのセットが定義されたが、本発明はこれに限定されないことに留意されたい。事実、ｋ、ｍ、ｘ、ｙ、およびｚの値を特定する際には、これらがΩｂとΩｒのセットのどちらに属するかを特定せず、Ｉ１またはＩ２が基地局かあるいは中継ノードかに基づいて直接特定することができる。
【００６９】
なお、可能な干渉源の組み合わせを特定する際には、特定のシナリオでは存在し得ない不可能な組み合わせは考慮されない。それは、それ以降の計算では存在し得ない組み合わせの計算結果はナルのサブフレーム群になるからである。図４Ａ〜４Ｄで説明した各シナリオにおいて説明したように、各シナリオについて、特定の用途に関する可能な干渉源の組み合わせを事前に決定することができる。但し可能な干渉源の組み合わせは、演算時に、例えば数学的概念の「組み合わせ」に基づいて自動的に形成することが可能である。
【００７０】
さらに、上記の説明は２つの支配的干渉源の実施例を参照して行ったが、本発明はこれに限定されないことに留意されたい。事実、ＵＥによって報告される干渉源は支配的干渉源に限定されず、ＵＥに影響する全ての干渉源とすることも、あるいは他の方法で選択された干渉源の一部分とすることもできる。また、実用用途の観点に立てば２つの支配的干渉源で十分であるが、支配的干渉源数もまた２つに限定されず、他の任意の適切な数であってもよい。但し、干渉源数が２つを超える場合には、それに伴って論理演算に内包される項目が増加することは、当業者によって理解されるであろう。しかし、本明細書に示す教示に基づけば、当業者は他の干渉源数であっても容易にこの技術的解決法を実装することができる。そのため、ここでは簡潔さを優先して詳述を避ける。
【００７１】
次に、図５を参照して、ＵＥにおけるチャネル測定実行方法のフローチャートについて説明する。
【００７２】
図５に示すように、ステップＳ５０１において、ＵＥはそのサービングノード（ｅＮＢまたはＲＮ）へＵＥの干渉源に関する情報を報告する。干渉源に関する情報とは、一定の事前に決定された期間内にＵＥによって特定された干渉源（特に支配的干渉源）である。この事前に決定された期間は、実際の用途の必要に応じて決定することができる。
【００７３】
次に、ステップＳ５０２において、ＵＥがそのサービングノードから、ＵＥの測定対象とすべき各サブフレーム群を示すように構成されたダウンリンクチャネル測定指示を受信する。このチャネル測定指示は、図３〜４を参照して説明したように、サービングノードが、ＵＥによって報告された可能な干渉源の組み合わせに対するサブフレーム群を特定することによって生成される。
【００７４】
その後ステップＳ５０３において、ＵＥがチャネル測定指示で指示されたサブフレーム群の各々についてチャネル測定を実行する。
【００７５】
ダウンリンクチャネル測定指示を受信した後、ＵＥは指示を構文解析して、そこから各サブフレーム群を取得する。ＵＥは各サブフレーム群のチャネル測定を実行するが、これはＵＥが異なるレベルの干渉について対応する測定を実行することを意味し、これにより、より高精度な測定結果が得られる。チャネル測定を実行するための詳細な動作はＬＴＥ標準に準拠しているため、ここでは詳述しない。
【００７６】
さらに、ステップＳ５０４において、各サブフレーム群に関して実行されたチャネル測定から、各サブフレーム群のチャネル品質が計算されるのが望ましい。ここで、チャネル品質は、例えば、事前に決定された期間内に特定のサブフレーム群について測定された全ての測定結果の平均値であっても、この期間中の標本値であっても、あるいは当該サブフレーム群のチャネル品質を表すのに適した他の任意の値であってもよい。次に、ステップＳ５０５において、各サブフレーム群のチャネル品質値がＵＥのサービングノード（ｅＮＢまたはＲＮ）へ送信される。
【００７７】
このように、サービングノードはＣＱＩフィードバック（すなわち、各サブフレーム群のチャネル品質）に基づいて各サブフレームをスケジューリングするので、スケジューリングはより高精度で高効率なものとなる。
【００７８】
さらに、当業者による本発明全体のさらなる理解を助けるため、図６を参照して、本発明による通信システムの動作のフローチャートについて簡単に説明する。
【００７９】
図６に示すように、まずステップＳ６０１において、ＵＥはそのサービングノードｅＮＢまたはＲＮへＵＥの干渉源に関する情報を報告する。次に、ステップＳ６０２において、サービングノードｅＮＢまたはＲＮが干渉源に関する情報を受信し、ＵＥの測定対象とすべきサブフレーム群を指示するために、様々な可能な干渉源の組み合わせに関するダウンリンクチャネル測定指示を生成する。続いてステップＳ６０３において、サービングノードｅＮＢまたはＲＮはそのチャネル測定指示をＵＥへ送信する。ステップＳ６０４において、ＵＥはそのチャネル測定指示に基づいて各サブフレーム群のチャネル測定を実行する。ステップＳ６０５において、ＵＥは測定で得られた各サブフレーム群のチャネル品質をサービングノードｅＮＢまたはＲＮへ送信する。ステップＳ６０６において、サービングノードｅＮＢまたはＲＮは、ＵＥから報告されたチャネル品質に基づいて、各サブフレームのスケジューリングを実行する。
【００８０】
上記では、本発明の例をＦＤＤに関連して説明したが、本発明はこれに限定されないことに留意されたい。ＴＤＤシステムの場合、バックホールリンクサブフレーム構成の周期性は、８ｍｓではなく１０ｍｓである。この場合は、ビットマップの長さを適宜変更するだけでよい。具体的には、ビットマップの長さを８から、バックホールサブフレーム構成の周期性（１０ｍｓ）に含まれるダウンリンクサブフレーム数（この数は種々のＴＤＤ  ＵＬ−ＤＬ構成によって異なる）に修正する。
【００８１】
さらに、ダウンリンクＡＢＳ構成の周期性（例：４０ｍｓ）がダウンリンクバックホールサブフレーム構成の周期性（１０ｍｓ）と異なる場合には、ＡＢＳ期間の周期性を基準として使用することができる。すなわち、バックホールサブフレーム構成を数回反復することによりＡＢＳサブフレームの周期性と一致させ、ＡＢＳ構成の周期性と同じ時間的長さを有するバックホールサブフレーム構成を形成してもよい。
【００８２】
さらに、本発明はＣＲＳ（共通基準信号）とＣＳＩ−ＲＳ（チャネル状態情報−基準信号）のいずれの干渉推定にも適用できることに留意されたい。但し、ＣＳＩ−ＲＳはスパースデューティサイクル（sparse
duty cycle）を有するので、ＣＲＳの方が望ましい。
【００８３】
次に、図７を参照して、本発明によって提供されるダウンリンクチャネル測定指示装置について説明する。図７は、本発明の一実施例によるダウンリンクチャネル測定指示装置７００を示す。
【００８４】
図７に示すように、装置７００は、干渉源情報受信手段７０１と測定指示生成手段７０２と測定指示送信手段７０３とを備える。干渉源情報受信手段７０１は、ユーザ機器の干渉源に関する情報を受信するように構成され、測定指示生成手段７０２は、ダウンリンクサブフレーム構成情報に基づいて、ユーザ機器の測定対象とすべきサブフレーム群を指示するように適応された、可能な干渉源の組み合わせの各々に関するチャネル測定指示を生成するように構成され、測定指示送信手段７０３は、対応するダウンリンクチャネル測定を実行するようユーザ機器に指示するために、ユーザ機器へダウンリンクチャネル測定指示を送信するように構成される。
【００８５】
本発明の１つの実施例においては、装置７００はさらに、隣接セルのダウンリンクサブフレームの構成情報を受信するための構成情報受信手段７０４を備える。
【００８６】
本発明の他の実施例においては、装置７００はさらに、可能な干渉源の組み合わせを形成するための干渉源組み合わせ形成手段７０５を備える。
【００８７】
本発明のさらに他の実施例においては、ダウンリンクサブフレーム構成情報はビットマップで表され、測定指示生成手段７０２は、ユーザ機器のタイプと干渉源の特性とに基づいて、対応するダウンリンクサブフレーム構成情報を表すビットマップに対して論理演算を実行することによりチャネル測定指示を生成するように構成される。
【００８８】
本発明のさらに他の実施例においては、チャネル測定指示はビットマップによって表される。
【００８９】
本発明のさらに他の実施例においては、ダウンリンクサブフレーム構成情報は、バックホールリンクサブフレーム構成情報と、ＡＢＳ構成情報とから成る。
【００９０】
本発明のさらに他の実施例においては、干渉源の特性は、各干渉源のタイプと、各干渉源の帰属情報とから成る。
【００９１】
本発明のさらに他の実施例においては、干渉源はユーザ機器の支配的干渉源である。
【００９２】
本発明の他の実施例においては、支配的干渉源数は２個である。
【００９３】
本発明のさらに他の実施例においては、当該装置７００はさらに、ユーザ機器によって報告されたサブフレーム群のチャネル品質に基づいて、各サブフレームのスケジューリングを実行するスケジューリング手段７０６を備える。
【００９４】
上記に加えて、本発明はさらに、ダウンリンクチャネル測定実行装置を備える。以下では、当該装置について、本発明の一実施例によるダウンリンクチャネル測定実行装置８００を示す図８を参照して詳細に説明する。
【００９５】
図８に示すように、装置８００は、干渉源情報報告手段８０１と測定指示受信手段８０２とチャネル測定手段８０３とを備える。ここで、干渉源情報報告手段８０１は、ユーザ機器の干渉源に関する情報をそのサービングノードへ報告するように構成され、測定指示受信手段８０２は、ユーザ機器の測定対象とすべきサブフレーム群を指示するように適応されたチャネル測定指示をサービングノードから受信するように構成され、チャネル測定手段８０３は、チャネル測定指示に基づいて当該サブフレーム群のダウンリンクチャネル測定を実行するように構成される。
【００９６】
本発明の１つの実施例においては、装置８００はさらに、ダウンリンクチャネル測定からサブフレーム群のチャネル品質を判定するためのチャネル品質判定手段８０４と、サブフレーム群のチャネル品質をサービングノードへ送信するためのチャネル品質送信手段８０５を備える。
【００９７】
なお、装置７００および８００を構成する個々の手段の動作は、実質的には前述した方法の各ステップに対応することに留意されたい。従って、装置７００および８００内の個々の手段の詳細な動作については、上記で図３〜６を参照して行った本発明の方法の説明を参照されたい。
【００９８】
これまで、添付図面を参照して本発明の特定の好ましい実施例について説明してきたが、本発明は図示および説明されたこれらの特定の実施例には限定されず、本発明の範囲の中で様々な修正が可能であることに留意されたい。
【００９９】
加えて、本発明の実施例は、ソフトウェア、ハードウェア、またはソフトウェアとハードウェアの組み合わせとして実装することが可能である。ハードウェア部分は専用の論理回路を使用して実装でき、ソフトウェア部分はメモリに格納して、マイクロプロセッサや専用設計のハードウェア等の適切な命令実行システムによって実行することができる。当該技術の標準的なスキルを有する当業者には、上記の方法およびシステムは、プロセッサに含まれるコンピュータによる実行が可能な命令または制御コードを使用して実装でき、当該コードは、磁気ディスク、ＣＤ、ＤＶＤ−ＲＯＭ等のベアラ用媒体、または読み出し専用メモリ等のプログラマブルメモリ（ファームウェア）、または光学もしくは電子信号用ベアラ等のデータベアラに格納して提供されることが、理解されるであろう。本実施例の装置およびその構成要素は、超大規模集積回路やゲートアレイ等のハードウェア回路、論理チップやトランジスタ等の半導体、またはフィールドプログラマブルゲートアレイやプログラマブル論理デバイス等のプログラマブルハードウェアデバイスによって実装することも、各種プロセッサによって実行されるソフトウェアによって実装することも、あるいは、ハードウェア回路とソフトウェアの組み合わせ（例えば、ファームウェア）によって実装することもできる。
【０１００】
上記では本発明を本書で考察した実施例を参照して説明してきたが、本発明は開示された実施例に限定されないことは理解されるであろう。本発明は、添付請求項の精神および範囲から逸脱しない様々な修正および等価構成を含むことが意図されている。付記された請求項の範囲は最も広義な説明であり、変更態様、等価な構造、および機能を全て含んでいる。
【０１０１】
さらに、上記実施形態の一部又は全部は、以下の付記のようにも記載されうるが、これに限定されない。
【０１０２】
（付記１）
中継システムにおけるダウンリンクチャネル測定指示方法であって、
ユーザ機器の干渉源に関する情報を受信するステップと、
ダウンリンクサブフレーム構成情報に基づいて、ユーザ機器の測定対象とすべきサブフレーム群を指示するように構成された、可能な干渉源の組み合わせの各々に関するダウンリンクチャネル測定指示を生成するステップと、
対応するダウンリンクチャネル測定を実行するようユーザ機器に指示するために、ユーザ機器へダウンリンクチャネル測定指示を送信するステップと
を含むことを特徴とするダウンリンクチャネル測定指示方法。
【０１０３】
（付記２）
ユーザ機器の可能な干渉源の組み合わせを形成するステップをさらに含むことを特徴とする付記１に記載のダウンリンクチャネル測定指示方法。
【０１０４】
（付記３）
隣接セルのダウンリンクサブフレーム構成情報を受信するステップをさらに含むことを特徴とする付記１に記載のダウンリンクチャネル測定指示方法。
【０１０５】
（付記４）
前記ダウンリンクサブフレーム構成情報はビットマップで表され、前記ダウンリンクチャネル測定指示は、ユーザ機器のタイプと干渉源の特性とに基づいて、対応するダウンリンクサブフレーム構成情報を表すビットマップに対して論理演算を実行することによって生成されることを特徴とする付記１に記載のダウンリンクチャネル測定指示方法。
【０１０６】
（付記５）
ダウンリンクチャネル測定指示はビットマップによって表されることを特徴とする付記４に記載のダウンリンクチャネル測定指示方法。
【０１０７】
（付記６）
前記ダウンリンクサブフレーム構成情報は、バックホールサブフレーム構成に関する情報と、ＡＢＳ（Ａｌｍｏｓｔ  Ｂｌａｎｋ  Ｓｕｂｆｒａｍｅ）構成に関する情報とを備えることを特徴とする付記１に記載のダウンリンクチャネル測定指示方法。
【０１０８】
（付記７）
前記干渉源は、ユーザ機器の支配的な干渉源であることを特徴とする付記１に記載のダウンリンクチャネル測定指示方法。
【０１０９】
（付記８）
ユーザ機器によって報告されたサブフレーム群のチャネル品質に基づいて、各サブフレームのスケジューリングを実行するステップをさらに含むことを特徴とする付記１に記載のダウンリンクチャネル測定指示方法。
【０１１０】
（付記９）
中継システムにおけるダウンリンクチャネル測定指示装置であって、
ユーザ機器の干渉源に関する情報を受信するための干渉源情報受信手段と、
ダウンリンクサブフレーム構成情報に基づいて、ユーザ機器の測定対象とすべきサブフレーム群を指示するように構成された、可能な干渉源の組み合わせの各々に関するダウンリンクチャネル測定指示を生成する測定指示生成手段と、
対応するダウンリンクチャネル測定を実行するようユーザ機器に指示するために、ユーザ機器へダウンリンクチャネル測定指示を送信する測定指示送信手段と
を備えることを特徴とするダウンリンクチャネル測定指示装置。
【０１１１】
（付記１０）
ユーザ機器の可能な干渉源の組み合わせを形成する干渉源組み合わせ形成手段をさらに備えることを特徴とする付記９に記載のダウンリンクチャネル測定指示装置。
【０１１２】
（付記１１）
隣接セルの前記ダウンリンクサブフレーム構成情報を受信する構成情報受信手段をさらに備えることを特徴とする付記９に記載のダウンリンクチャネル測定指示装置。
【０１１３】
（付記１２）
前記ダウンリンクサブフレーム構成情報はビットマップで表され、前記測定指示生成手段は、ユーザ機器のタイプと干渉源の特性とに基づいて、対応するダウンリンクサブフレーム構成情報を表すビットマップに対して論理演算を実行することによってダウンリンクチャネル測定指示を生成するように構成されることを特徴とする付記９に記載のダウンリンクチャネル測定指示装置。
【０１１４】
（付記１３）
前記ダウンリンクチャネル測定指示はビットマップによって表されることを特徴とする付記１２に記載のダウンリンクチャネル測定指示装置。
【０１１５】
（付記１４）
前記ダウンリンクサブフレーム構成情報は、バックホールサブフレーム構成に関する情報と、ＡＢＳ（Ａｌｍｏｓｔ  Ｂｌａｎｋ  Ｓｕｂｆｒａｍｅ）構成に関する情報とを備えることを特徴とする付記９に記載のダウンリンクチャネル測定指示装置。
【０１１６】
（付記１５）
前記干渉源は、ユーザ機器の支配的な干渉源であることを特徴とする付記９に記載のダウンリンクチャネル測定指示装置。
【０１１７】
（付記１６）
ユーザ機器によって報告されたサブフレーム群のチャネル品質に基づいて、各サブフレームのスケジューリングを実行するスケジューリング手段をさらに備えることを特徴とする付記９に記載のダウンリンクチャネル測定指示装置。
【０１１８】
（付記１７）
中継システムにおいてダウンリンクチャネル測定を実行するための方法であって、
ユーザ機器の干渉源に関する情報をそのサービングノードへ報告するステップと、
ユーザ機器の測定対象とすべきサブフレーム群を指示するように適応されたダウンリンクチャネル測定指示をサービングノードから受信するステップと、
前記ダウンリンクチャネル測定指示に基づいて当該サブフレーム群のダウンリンクチャネル測定を実行するステップと
を含むことを特徴とする方法。
【０１１９】
（付記１８）
ダウンリンクチャネル測定からサブフレーム群のチャネル品質を判定するステップと、
前記サブフレーム群のチャネル品質を前記サービングノードへ送信するステップとを含むことを特徴とする付記１７に記載の方法。
【０１２０】
（付記１９）
中継システムにおけるダウンリンクチャネル測定実行装置であって、
ユーザ機器の干渉源に関する情報をそのサービングノードへ報告するための干渉源情報報告手段と、
ユーザ機器の測定対象とすべきサブフレーム群を指示するように適応されたダウンリンクチャネル測定指示を前記サービングノードから受信するための測定指示受信手段と、
前記ダウンリンクチャネル測定指示に基づいて当該サブフレーム群のダウンリンクチャネル測定を実行するためのチャネル測定手段と
を備えることを特徴とするダウンリンクチャネル測定実行装置。
【０１２１】
（付記２０）
ダウンリンクチャネル測定からサブフレーム群のチャネル品質を判定するチャネル品質判定手段と、
前記サブフレーム群のチャネル品質を前記サービングノードへ送信するチャネル品質送信手段とを備えることを特徴とする付記１９に記載のダウンリンクチャネル測定実行装置。
【符号の説明】
【０１２２】
７００：装置
７０４：構成情報受信手段
７０１：干渉源情報受信手段
７０５：干渉源組み合わせ形成手段
７０２：測定指示生成手段
７０３：測定指示送信手段
７０６：スケジューリング手段
８００：装置
８０１：干渉源情報報告手段
８０２：測定指示受信手段
８０３：チャネル測定手段
８０４：チャネル品質判定手段
８０５：チャネル品質送信手段
【図１】
0005693744.tif 000023
【図２】
0005693744.tif 000024
【図３】
0005693744.tif 000025
【図４Ａ】
0005693744.tif 000026
【図４Ｂ】
0005693744.tif 000027
【図４Ｃ】
0005693744.tif 000028
【図４Ｄ】
0005693744.tif 000029
【図５】
0005693744.tif 000030
【図６】
0005693744.tif 000031
【図７】
0005693744.tif 000032
【図８】
0005693744.tif 000033